(57)【要約】【課題】果実収納籠を積載するパレットを水中に浸漬するのに好適に使用でき、不使用の際には分解して嵩低くできる支持枠を提供する。【解決手段】上枠１と底枠２と４本の支柱３とからなり、上枠１と底枠２の四隅部に、嵌合溝を有する係合部材１２，２２を付設し、一方の係合部材２２に内方部が開口幅よりも拡がった断面円状の嵌合溝２１を形成し、他方の係合部材１２に嵌合溝１１を横断する連結用孔１３を形成し、各支柱の上下両端部に、係合部材１２，２２の嵌合溝１１，２１に嵌合可能な係合板部３１，３２を形成し、一端側の係合板部３２を断面円状の嵌合溝２１に嵌合して所定角度の回転により係合状態に保持し、他端側の係合板部３１を嵌合溝１１に嵌合してピン７により係合連結し、ピンによる係合を解除することにより分解可能に設ける。【選択図】図４
0003139181.tif 000002
【実用新案登録請求の範囲】
【請求項１】
上下に対向配置される平面矩形の上枠及び底枠と、平面における四隅部において前記上枠と底枠とを連結する４本の支柱とからなり、前記底枠に果実収納籠を積載したパレットを載置して吊り下げ支持する支持枠であって、
前記上枠及び底枠の四隅部には、それぞれ上下に対応する位置に、外側方に開口する上下方向の嵌合溝を有する係合部材が付設され、上枠及び底枠の一方の係合部材には内方部が開口幅よりも拡がった断面円状をなす嵌合溝が形成され、他方の係合部材には嵌合溝を横断する方向の連結用孔が形成されており、
前記４本の各支柱は、それぞれ上下両端部に、前記上枠及び底枠の係合部材の嵌合溝に対し側方より嵌合可能な係合板部が形成され、一端部は前記係合板部が前記断面円状の嵌合溝の内部に嵌合した状態での所定角度の回転により係合状態に保持され、他端部は前記係合板部が前記嵌合溝に嵌合した状態で前記連結用孔を利用する係合手段により係合連結され、該係合手段による係合を解除することにより分解可能に設けられてなることを特徴とする果実収納籠用パレットの支持枠。
【請求項２】
前記各支柱の上下両端部の前記係合板部が軸方向にみて互いに交叉方向の板状をなすように形成され、一端側の係合板部の先端にフランジ状の係合部が形成され、他端側の係合板部に前記係合部材の連結用孔に対応する連結用孔が形成されており、前記一端側の係合板部を前記断面円状の嵌合溝内に嵌合して９０度回転させることにより、前記他端側の係合板部を他方の係合部材の嵌合溝に対し嵌合して前記双方の連結用孔を貫通する係合手段としてのピンにより係合連結できるように設けられてなる請求項１に記載の果実収納籠用パレットの支持枠。
【請求項３】
前記上枠が、その上面に、吊り上げ手段の係止部が設けられてなる請求項１又は２に記載の果実収納籠用パレットの支持枠。
【請求項４】
前記上枠には、左右両辺の枠部より垂設状態に支持される複数本の押さえ用支持部材が脱着可能に設けられてなり、左右の押さえ用支持部材間に、底枠に載置されるパレット上の収納籠を押さえる左右方向の押さえ棒が係止自在に設けられてなる請求項１〜３のいずれか１項に記載の果実収納籠用パレットの支持枠。
【考案の詳細な説明】
【技術分野】
【０００１】
本考案は、主として梅等の果実を籠詰めしてパレット上に積載した状態で水中に浸漬するのに使用する果実収納籠用パレットの支持枠に関するものである。
【背景技術】
【０００２】
従来より、梅等の各種の果実、例えば梅干しに使用する梅は、収穫して大きさなどを選別して籠に入れた状態で、果実に付着し入り込んでいる小さな虫等を追い出し排出する目的で、数時間（２〜３時間）、水中に浸漬することが行われている。この場合、梅を収納した比較的剛性のある果実収納籠を、そのまま水中に水没させるようにして浸漬するのが普通である。
【０００３】
しかしながら、果実収納籠毎に水中に浸漬するのは、果実収納籠の取り扱いが面倒である上、浮力が作用する果実収納籠を安定性よく水中に水没させるように上から押さえる必要もあって、浸漬作業に手数がかかり、作業性に問題がある。
【０００４】
そこで、果実収納籠をパレット上に縦横に並列してかつ複数段に積載して、該パレットをフォークリフトおよびクレーン等の吊り上げ手段により吊り上げ、水中に降下させて浸漬することにより、果実収納籠を一度に多量に浸漬できるようにして、浸漬作業を能率よく行おうとしたものである。
【０００５】
この場合、果実収納籠を積載したパレットをロープ掛けして吊り上げるのでは、パレット上の果実収納籠が不安定であり、また水中に浸漬する際に浮力が作用して果実収納籠が浮き上がったり動いたりするおそれがある。そのため、果実収納籠を積載したパレットを吊り上げるために吊り上げ用の枠体を使用することが考えられるが、この枠体が大型になるほど、不使用の際の取り扱いが面倒で作業の邪魔になることもあり、また大きな保管スペースも必要になる。
【考案の開示】
【考案が解決しようとする課題】
【０００６】
本考案は、上記に鑑みてなしたものであり、梅等の果実収納籠用パレットを水中に浸漬するのに好適に使用でき、しかも、組み立て分解が容易に可能で、組み立て状態の安定性も良好であり、また、不使用の際には分解して嵩低くして取り扱うことができる支持枠を提供するものである。
【課題を解決するための手段】
【０００７】
本考案の果実収納籠用パレットの支持枠は、上下に対向配置される平面矩形の上枠及び底枠と、平面における四隅部において前記上枠と底枠とを連結する４本の支柱とからなり、前記底枠に果実収納籠を積載したパレットを載置して吊り下げ支持する支持枠であって、前記上枠及び底枠の四隅部には、それぞれ上下に対応する位置に、外側方に開口する上下方向の嵌合溝を有する係合部材が付設され、上枠及び底枠の一方の係合部材には内方部が開口幅よりも拡がった断面円状をなす嵌合溝が形成され、他方の係合部材には嵌合溝を横断する方向の連結用孔が形成されており、前記４本の各支柱は、それぞれ上下両端部に、前記上枠及び底枠の係合部材の嵌合溝に対し側方より嵌合可能な係合板部が形成され、一端部は前記係合板部が前記断面円状の嵌合溝の内部に嵌合した状態での所定角度の回転により係合状態に保持され、他端部は前記係合板部が前記嵌合溝に嵌合した状態で前記連結用孔を利用する係合手段により係合連結され、該係合手段による係合を解除することにより分解可能に設けられてなることを特徴とする。
【０００８】
この果実収納籠用パレットの支持枠によれば、梅等の果実収納籠を積載したパレットを底枠上に載置した状態で、該支持枠を吊り上げ手段により吊り上げることにより、前記パレットを安定性よく受け支えることができ、各果実収納籠をパレット上に積載した状態のまま水中に降下させて各果実収納籠を安定性よく浸漬させることができる。
【０００９】
しかも、不使用時には、４本の支柱の上下両端部をそれぞれ上枠及び底枠の係合部材から離脱させることにより、上枠、底枠、及び４本の支柱を分解して、嵩低くして取り扱うことができる。また、組み立ての際は、各支柱の一端側の係合板部を、上枠及び底枠の一方の係合部材の嵌合溝に嵌合して所定角度の回転により係合状態に保持し、また各支柱の他端側の係合板部を、上枠及び底枠の他方の係合部材の嵌合溝に嵌合して連結用孔を利用して係合手段により係合連結することにより、容易に組み立てることができる。
【００１０】
前記果実収納籠用パレットの支持枠において、前記各支柱の上下両端部の前記係合板部が軸方向にみて互いに交叉方向の板状をなすように形成され、一端側の係合板部の先端にフランジ状の係合部が形成され、他端側の係合板部に前記係合部材の連結用孔に対応する連結用孔が形成されており、前記一端側の係合板部を前記断面円状の嵌合溝内に嵌合して９０度回転させることにより、前記他端側の係合板部を他方の係合部材の嵌合溝に対し嵌合して前記双方の連結用孔を貫通する係合手段としてのピンにより係合連結できるように設けられてなるものとするのが好ましい。
【００１１】
これにより、前記係合手段としてのピンによる係合を解除し係合板部を嵌合溝から抜脱しない限り、前記支柱を回転させることができないため、前記の組み立て状態を良好に保持でき、しかも前記ピンを抜脱して係合板部を嵌合溝から離脱させれば、支柱を回転させることができ、前記断面円状の嵌合溝内に対し前記一端側の係合板部の嵌合及び回転が可能になり、容易に組み立てあるいは分解できることになる。
【００１２】
前記果実収納籠用パレットの支持枠において、前記上枠が、その上面に、吊り上げ手段の係止部が設けられてなるものよりなる。これにより吊り上げ手段により支持枠を容易に吊り上げることができる。
【００１３】
前記果実収納籠用パレットの支持枠において、前記上枠には、左右両辺の枠部より垂設状態に支持される複数本の押さえ用支持部材が脱着可能に設けられてなり、左右の押さえ用支持部材間に、底枠に載置されるパレット上の収納籠を押さえる左右方向の押さえ棒が係止自在に設けられてなるものが好ましい。これにより、支持枠を介して吊り上げられるパレット上の果実収納籠の横方向の動きや、水中への浸漬時の浮き上がりを規制でき、浸漬作業を確実に行える。
【考案の効果】
【００１４】
本考案の果実収納籠用パレットの支持枠によれば、梅等の果実収納籠用パレットを水中に浸漬するのに好適に使用でき、梅等の果実の虫などを排除するための浸漬作業を能率よく行うことができる。しかも、組み立て分解が容易に可能で、組み立て状態の安定性も良好であり、前記の浸漬作業を能率よく行なえ、不使用の際には分解して嵩低くして容易に取り扱うことができ、また保管スペースも小さくて済む。
【考案を実施するための最良の形態】
【００１５】
次に本考案の実施の形態を図面に示す実施例に基づいて説明する。
【００１６】
図１は本考案の果実収納籠用パレットの支持枠の分解斜視図、図２は同支持枠の組み立て状態の正面図、図３は同支持枠の組み立て状態の側面図、図４は１本の支柱についての上端部と下端部の分離状態の斜視図、図５は同上の連結状態の正面図、図６（ａ）（ｂ）は上端部と下端部の連結状態の横断面図、図７は押さえ棒部分の支持部の拡大断面図である。
【００１７】
図１〜図３に示すように、本考案の支持枠Ａは、上下に対向配置される平面矩形の上枠１及び底枠２と、平面における四隅部において前記上枠１と底枠２とを連結する４本の支柱３とからなり、前記底枠２に果実収納籠Ｂを積載したパレットＰを載置して吊り下げ支持するように設けられてなるもので、下記の構成よりなる。
【００１８】
前記上枠１及び底枠２は、それぞれ角パイプ等の鋼材等の金属材により四周の枠部の内方に縦横一方向あるいは両方向の桟部材が配されて、主として格子枠状に組み立てられており、図の場合、前記上枠１の上面には、吊り上げ手段の係止部１０、例えば吊り上げ手段としてのフォークリフトのフォーク（図示せず）を挿し込み係止できる角形筒状の係止部１０が設けられている。前記係止部としては、クレーン等の他の吊り上げ手段の係止用フック等を係止できるリング状やフック状の係止部でもよい。
【００１９】
前記上枠１及び底枠２の四隅部には、それぞれ上下に対応する位置の側面に、外側方に開口する上下方向の嵌合溝１１及び２１を有する平面コ字形の係合部材１２及び２２が溶接手段等の固着手段により付設されている。前記上枠１及び底枠２の一方、例えば底枠２の係合部材２２は、内方部の直径Ｄが開口幅Ｗ２すなわち開口２１ａの幅Ｗ２よりも拡がった断面円状をなす嵌合溝２１が形成され、他方の例えば上枠１の係合部材１２には、開口１１ａの幅Ｗ１と同幅の凹溝状をなす嵌合溝１１が形成され、該嵌合溝１１を画する両側部分に該嵌合溝１１を横断する方向の連結用孔１３が形成されている。
【００２０】
また、４本の各支柱３は、図４〜図６に拡大して示すように、基本的に断面円形の丸棒状の鋼材よりなり、それぞれ上下両端部に、前記上枠１及び底枠２の係合部材１２及び２２の嵌合溝１１及び２１に対し側方より嵌合可能な厚板状をなす係合板部３１及び３２が、係合用の段部を形成するように側面を切欠して形成されている。
【００２１】
前記各支柱３の係合板部３１及び３２について、図４〜図６の拡大図に基づいて１本の支柱３を例にして説明すると、上下両端部の前記係合部材１２及び２２が、軸方向にみて互いに交叉方向の板状をなすように形成されている。
【００２２】
そして、一端側例えば下端側の係合板部３２は、前記底枠２の係合部材２２の下面に係合するフランジ状の係合部３３を先端に残して形成されるとともに、該係合板部３２の厚み方向と交叉する方向の側面が、前記断面円状の嵌合溝２１の内部の円形に対応した円弧状をなし、該係合板部３２が前記嵌合溝２１に嵌合した状態で回転可能であり、かつ所定の角度、例えば９０°の回転により開口２１ａからの抜脱が阻止され係合状態を保持するように形成されている。図の場合、係合板部３１側の端部にもフランジ状の係合部３３が設けられている。
【００２３】
また、前記他端側すなわち上端側の係合板部３１は、前記一端側の係合板部３２と直交する方向をなし、該係合板部３１に前記係合部材１２の連結用孔１３に対応する連結用孔３４が形成されており、前記係合板部３２が前記嵌合溝２１に嵌合して９０度回転した状態において前記係合部材１２と係合板部３１の双方の連結用孔１３と３４を貫通する係合手段としてのピン７により係合連結できるように設けられている。図の場合、前記ピン７は、バネ手段７１を利用して前記連結用孔１３、３４に貫通した状態を保持するように設けられており、貫通及び抜脱操作を容易に行えるようになっている。
【００２４】
前記ピン７の抜脱を停止する手段として先端部にナットを螺合することもできる。またボルトとナット等の締結具を係合手段として用いる等、係合板部の離脱を阻止できる他の係合手段による実施も可能である。
【００２５】
他の支柱３についても、係合板部３１及び３２を備える上下両端部の構成は、前記同様の構成よりなる。
【００２６】
なお、支柱としては、多角形の角棒状の鋼材を用いて、前記同様に係合板部を形成して実施することも可能である。
【００２７】
前記支持枠Ａを構成する上枠１には、左右両辺の枠部１ａ，１ａより垂設状態に支持される複数本の押さえ用支持板１５が脱着可能に設けられてなり、左右の押さえ用支持板金具１５，１５間に、底枠２に載置されるパレットＰ上の収納籠Ｂを押さえる左右方向の押さえ棒１６が係止自在に設けられている。
【００２８】
前記押さえ用支持部材１５は、上端部に前記左右両辺の枠部１ａ，１ｂに対し下方から嵌着自在な嵌着部１５ａが設けられるとともに、長さ方向（上下方向）の所要間隔毎に係合孔１５ｂが設けられている。また前記押さえ棒１６の両端部には、それぞれ前記押さえ用支持部材１５の係合孔１５ｂに挿入可能な軸端部１６ａ、１６ｂが長さを異にして形成されており、前記長いほうの軸端部１６ａを、左右一方の押さえ用支持部材１５の係合孔１５ｂに挿入し、次に短い軸端部１６ｂを他方の押さえ用支持部材１５の係合孔１５ｂに挿入することにより、所要の高さ位置け係止できるようになっている。前記係合孔１５ｂの位置を選択することにより、前記押さえ棒１６の高さを調整できる。
【００２９】
図の場合、前記押さえ用支持部材１５は、３本の押さえ棒１６を係止できるように、図のように左右それぞれ前後方向に間隔をおいて３本が設けられており、左右それぞれの各支持部材１５が、後述する斜めの連結部材に連結されて前後方向に配される連結支持部材１７にネジ止めされて所定の間隔に連結されて支持されている。１８は前記連結支持部材１７に支持部材１５を固定するネジ部材を示す。
【００３０】
前記のほか、前記押さえ用支持部材１５や押さえ棒１６の間隔や本数は、任意に変更可能である。
【００３１】
図中の符号の８は、支持枠Ａの左右両側面において前後の支柱３，５及び４，６間に斜めに交叉する筋交い状に斜めに連結する２本一組の連結部材であり、組み立て状態の安定とともに、支持枠に載せたパレットＰ上の果実収納籠Ｂの横移動を規制するように設けられている。前記連結支持部材１７は該連結部材８にネジ止め手段により固定され所定の高さに保持される。これにより、前記押さえ用支持部材１５を前記上枠１から垂設状態に保持できる。
【００３２】
上記した実施例の果実収納籠用パレットの支持枠Ａは、運搬、保管等の不使用時の取り扱いにおいては、上枠１、底枠２、及び４本の支柱３並びに押さえ用支持部材１５や押さえ棒１６及び連結部材８を分解した状態にしておくことができるので、嵩低くて取り扱い易く、運搬や保管のためのスペースが小さくて済む。
【００３３】
そして、使用のための組み立ての際は、各支柱３の下端側の係合板部３２を底枠２の係合部材２２の嵌合溝２１に嵌合し、この状態で前記係合板部３２と嵌合溝２１との遊びを利用して、上端部の係合板部３１を嵌合溝１１に嵌合するまでに、９０度回転させて係合状態に保持し、こうして各支柱３の上端側の係合板部３１を、上枠１の係合部材１２の嵌合溝１１に嵌合し、連結用孔１３，３４に係合手段としてのピン７を貫通させて係合連結状態に保持する。この状態においては、支柱の回転が阻止されるため、下端部の係合板部３２が係合部材２２の嵌合溝２１から抜脱する虞はない。
【００３４】
そして、必要に応じて、左右側面の筋交いとしての連結部材８を前後の支柱３，３間に斜めに渡して連結し、前記の組み立て状態に保持し、さらに、押さえ用支持部材１５を、上枠１の左右両辺の枠部１ａ，１ａに対する嵌着手段や連結支持部材１７に対するネジ止めにより取り付けておく。こうして、果実収納籠ＢをパレットＰ上に、前後左右に複数個並べて複数段に積載しておいて、該パレットＰを支持枠Ａの底枠２上に載置する。この状態において、左右の押さえ用支持部材１５，１５間に押さえ棒１６を架渡して果実収納籠Ｂを押さえる。
【００３５】
この状態で、前記支持枠Ａを上枠１上面の係止部１０を利用して、吊り上げ手段としての例えばフォークリフトにより吊り上げて全体を水中に浸漬する。この際、前記果実収納籠Ｂの浮き上がりやすれ動きを規制できる。このように、多量の果実収納籠Ｂを一度に且つ安定性よく浸漬処理することができる。
【００３６】
また、支持枠Ａを使用しないときは、上記の組み立て時とは反対の操作を行い、連結部材８、押さえ棒１６、各押さえ用支持部材１５を取り外し、さらに４本の各支柱３の上端部のピン７を抜脱して係合連結を解除し、係合板部３１を嵌合溝１１から抜脱した状態において、支柱を９０度回転させて係合板部３２を嵌合溝２１から抜脱すればよく、これにより各支柱３及び上枠１と  底枠２を分離でき、嵩低くできる。
【００３７】
なお、上記した実施例においては、各支柱の上端部に連結用孔を有する係合板部を設け、下端部に平面円状の嵌合溝に嵌合可能な係合板部を設けた場合を示したが、これとは上下を逆にして、各支柱の下端部に連結用孔を有する係合板部を設け、上端部に平面円状の嵌合溝に嵌合可能な係合板部を設けるとともに、上枠及び底枠に前記契合板部に対応する係合部材を設けて実施することもできる。
【産業上の利用可能性】
【００３８】
本考案は、収穫した梅等の各種の果実を収納籠に入れた状態で、小さな虫等を追い出し排出する目的で水中に浸漬する際に、果実収納籠を積載したパレットを支持するのに好適に使用できる。
【図面の簡単な説明】
【００３９】
【図１】本考案の果実収納籠用パレットの支持枠の分解斜視図である。
【図２】同支持枠の組み立て状態の正面図である。
【図３】同支持枠の前図Ａ−Ａ線の断面図である。
【図４】１本の支柱についての上端部と下端部の分離状態の斜視図である。
【図５】同上の連結状態の正面図である。
【図６】（ａ）（ｂ）のそれぞれ上端部と下端部の連結状態の横断面図である。
【図７】押さえ棒部分の支持部の拡大断面図である。
【符号の説明】
【００４０】
Ａ…支持枠、１…上枠、２…底枠、３，４，５，６…支柱、７…ピン、８…連結部材、１０…係止部、１１，２１…嵌合溝、１１ａ，２１ａ…開口、１２，２２…係合部材、１３…連結用孔、１５…押さえ用支持部材、１６…押さえ棒、１７…連結支持部材、３１，３２…係合板部、３３…係合部、３４…連結用孔、Ｂ…果実収納籠、Ｐ…パレット。
【図１】
0003139181.tif 000003
【図２】
0003139181.tif 000004
【図３】
0003139181.tif 000005
【図４】
0003139181.tif 000006
【図５】
0003139181.tif 000007
【図６】
0003139181.tif 000008
【図７】
0003139181.tif 000009